(57)【要約】【課題】シンクに対する給排水設備を固定化した状態にして構造体全体を可動式に編成した可動式キッチンユニットを提供する。【解決手段】キッチンユニット１を少なくともシンク構造体２と加熱調理構造体３から構成し、シンク構造体２は床６に台座７を固定し、床下から引き入れる排水管３８をシンク３６に直結し、また給水管４０をシンク３６に臨む水栓３７に接続する。その一方、加熱調理構造体３は台座９にキャスター８を備え、前記シンク構造体２と連結アーム１２を介して連結してシンク構造体２の周縁部に沿って移動自由にすると共に、上記連結アーム１２を通して加熱調理器４７の電源をシンク構造体２から引き入れる。【選択図】図１
2010022541.tif 000002
【特許請求の範囲】
【請求項１】
シンク及びシンクに対する給排水設備を備えたシンク構造体を床上に固定し、床下に配設する給排水管と上記給排水設備とを接続する一方、該シンク構造体には加熱調理器を設備する加熱調理構造体を併設して両構造体を連結アームで連結し、加熱調理構造体を下部に備える移動用キャスターによりシンク構造体の周囲に沿って移動自由にすると共に、前記アーム内には調理加熱器用の電源コード及び或いはガス管を配設して前記シンク構造体の床下に設備する電源、ガス管等と接続し、前記加熱調理器に熱源を供給するようにした可動式キッチンユニット。
【請求項２】
シンク構造体の上面には円形の天板を設置し、該天板の中央部にシンクを埋め込み設置すると共に該天板の周縁に沿って近接して加熱調理構造体を配置してなることを特徴とした請求項１に記載の可動式キッチンユニット。
【請求項３】
加熱調理構造体は上面に電磁ヒーターないしガス台を設置する天板を設備することを特徴とした請求項１又は２に記載の可動式キッチンユニット。
【請求項４】
加熱調理構造体には先端を周方向に沿って旋回可能に支持する連結アームを備えて整理棚等の整理格納設備を備えた格納構造体を連結し、該格納構造体を下部に備えるキャスターにより前記加熱調理構造体の周囲に沿って移動自由にしたことを特徴とする請求項１ないし３のいずれかに記載の可動式キッチンユニット。
【請求項５】
連結アームの内部には加熱調理構造体に引き入れられた電源コードと接続する延長電源コードが配線され格納構造体に電源が供給されることを特徴とした請求項４に記載の可動式キッチンユニット。
【請求項６】
床に対面する天井に加熱調理構造体の移動範囲に亘る範囲に集煙用天蓋を配置することを特徴とした請求項１ないし５に記載の可動式キッチンユニット。
【発明の詳細な説明】
【技術分野】
【０００１】
本発明は、可動式のキッチンユニットに関する。
【背景技術】
【０００２】
水洗いのためのシンクや加熱調理のためのガス台、電磁加熱器等を備えた加熱調理設備、そして調理台等家庭における調理に要する設備を一連に備えた所謂キッチンユニットの多くはキッチンやダイニングルームにおいて床に固定されているのが普通である。
しかし、床に固定されたキッチンユニットは、これがキッチンの壁面に添って設置された場合も、カウンター形に壁面を離れて部屋の中に持ち出された場合も、安定的である反面、固定的であるがための利用勝手が悪くなることがある。
【０００３】
この様なことから、キッチン内を自由に移動できたり、シンクや加熱調理器の向きを変えられるようにしてキッチンのレイアウトを使用勝手に合せて自由に選択できるようにした可動式のキッチンユニットが提案されている。例えば特許文献１ないし３がその例である。
【特許文献１】特開平１０−８５０６５号公報。
【特許文献２】実開平６−３６４３５号公報。
【特許文献３】特開２００７−６１２５１号公報。
【０００４】
特許文献１に記載の可動式キッチン機構は、調理台１、食卓テーブル２、収納棚３、流し台４の全てが下方に備えるキャスター輪１１によってキッチンやダイニングルーム内をそれぞれ自由に移動できるものとなっていることから、使用勝手に合せて自由に配置替えして使用することが可能になっている。
【０００５】
しかし、ここにおける問題は調理台１に設備する電子調理器に対する電源コードの引き込みであり、また流し台４に対する給水管、排水管の配置である。
文献中の説明では移動を可能にするため、電源コードやパイプ類はフレキシブルなものに構成するのである、とされているが、これらのものを調理台１や流し台４に対して如何に引き込み配置するかについては技術開示がされていない。
【０００６】
特許文献２に記載のキッチンは、シンクキャビネット３、調理キャビネット４、レンジキャビネット７を一連に形成してシンクキャビネット３に設ける回転軸１２を支点に旋回させることで、キャスタ１１を使ってキッチンルーム１内を移動できるようにしたものである。
このキッチンユニットも、各キャビネットに備えるキャスタ１１を使って移動できるものとしているが、移動するシンクキャビネット３において水回りの給排水管の処理をどの様にするかの技術的課題については具体的解決策が示されていない。
【０００７】
特許文献３に記載のキッチンユニットは、上記各特許文献記載のキッチンユニットの問題点につき、これを改善したものとして提案されている。ここに提案されたキッチンユニットは、回転するカウンター部２に設けるシンク３の排水管１０が床部１５に対して固定的に設けられる排水用漏斗１２に接続されてシンク３が回転することによって回転する排水管１０が常に上記排水用漏斗１２に臨むことによって水漏れすることなく排水できる設備が組み込まれている。
【０００８】
従って、排水においては排水管１０にフレキシブル管を使用することなく、回動しても流路断面が変形することのない硬質管材の使用が可能になったとされている。
しかし、ここにおける問題は、シンクの排水のためにシンク３を備えたカウンター部２は、その回転部分に床部１５に固定される固定部８ｂとカウンター部２と共に回転する自転部８ａとからなる自転支持部８を備えると共に、その内部に上記排水用漏斗１２を組み入れる必要があり、更にはシンク３に接続する排水管１０、給水管９の回動を許す空間を用意する等の処置を必要とし、設計的にも、またコスト的にも特別の配慮が求められている。
【発明の開示】
【発明が解決しようとする課題】
【０００９】
本発明は上記従来の可動式キッチンシステムにおける問題点に鑑み開発されたもので、移動の自由性を確保した上で、従来最も問題となっていたシンクに対する給排水設備を変更することなく設置できるようにした可動式キッチンシステムを提供しようとするものである。
【００１０】
キッチンシステムを可動式にすることはキッチンルームやダイニングルームのレイアウトの固定化を回避し、使用勝手に合せた変化を楽しみ、便利に使用することができるが、シンクを始めとするキッチンの設備は給排水設備を除外して設計することはできない。従って、実際問題として可動式キッチンシステムを考える場合、これら建物に密着して設備される給排水設備、更には加熱調理のための熱源となる電源コードの配設等を無視して設計することは困難であり、この課題を解決することが先決となる。
【００１１】
本発明は、キッチンシステムを構成する各部の構成体を区分して、固定的に設置するものと、可動的に設置するものとに分け、床に固定することによって給排水設備との接続を容易にして安定したキッチンシステムとすると同時に、移動を自由にすることによってキッチンルーム等における配置位置を変更し、新らたな空間を作って使用勝手、部屋の模様替え等を簡単に行えるようにした可動式キッチンシステムを提供しようとするものである。
【課題を解決するための手段】
【００１２】
上記目的を達成するため、本発明は、シンク及びシンクに対する給排水設備を備えたシンク構造体を床上に固定し、床下に配設する給排水管と上記給排水設備とを接続する一方、該シンク構造体には加熱調理器を設備する加熱調理構造体を併設して両構造体を連結アームで連結し、加熱調理構造体を下部に備える移動用キャスターによりシンク構造体の周囲に沿って移動自由にすると共に、前記アーム内には調理加熱器用の電源コード及び或いはガス管を配設して前記シンク構造体の床下に設備する電源、ガス管等と接続し、前記加熱調理器に熱源を供給するようにした可動式キッチンユニットを提供することにある。
【００１３】
上記シンク構造体を床上に固定することにより、この構造体に設備するシンクに対して床下に配置する給水管、排水管とを直接接続し、給水を受けることができると同時に、排水管を通してそのまま下水道等に排水することができることになる。
その一方、このシンク構造体に併設される加熱調理構造体は、連結アームを介して連結され、シンク構造体の周りを自由に移動することができるため、この移動を通してシンク構造体との位置関係を変更することができ、これによってキッチンユニット全体の形状をキッチンルーム内部で変えることができることになる。
【００１４】
このため、本発明キッチンユニットにおいては、シンク構造体が床に固定されているにも拘わらず、相互に組合う加熱調理構造体がこのシンク構造体の周りを移動して形状を変化させ、同時にキッチンルームにおける配置位置を変えることになることから使用勝手に合せた変化を実現することができ、併せて部屋の模様替えも行うことができることになるのである。
【００１５】
そして、最も特徴的なことはキッチンユニットを構成するシンク構造体が床に固定されることによって床下に配設させる給水管、排水管とシンクに設備される給水口、排水口とを直結することができ、しかも単なる連結を通して接続ができることから簡単な作業によって漏水の心配のない接合が可能となり、安全な、しかもコスト的に廉価なキッチンユニットを提供することができることになる。
【００１６】
また本発明は、シンク構造体の上面に円形の天板を設置し、該天板の中央部にシンクを埋め込み設置すると共に該天板の周縁に沿って近接して加熱調理構造体を配置してなることを特徴とした可動式キッチンユニットを提供することにある。
【００１７】
この発明によれば、シンク構造体の上面に円形のテーブルとなる天板を設置し、この周縁に沿って加熱調理構造体を配置したことによってシンク構造体と加熱調理構造体とを常に等距離に保って移動を可能にし、これによって両構造体の組合せ関係、つまり組合せ形状を一定に保持しながらキッチンルームに対する配置位置を変更できるという変化を実現することができる。
【００１８】
また、本発明は、加熱調理構造体の上面に電磁ヒーターないしガス台を設置する天板を設備することを特徴とした可動式キッチンユニットを提供することにある。
【００１９】
この発明によれば、加熱調理構造体において、天板に設置する加熱調理器、即ち電磁ヒーターないしガス台を使って煮物、焼物等調理を直ちに行うことができる。
尚、ここに設置される電磁ヒーターやガス台に対しては床下や壁部からシンク構造体内部に直接引き込まれた電源コード、ガス管をシンク構造体と加熱調理構造体とを連結する連結アームを通して引き込むことになる。
【００２０】
また本発明は、加熱調理構造体の先端を周方向に沿って旋回可能に支持する連結アームを備えて整理棚等の整理格納設備を備えた格納構造体を連結し、該格納構造体を下部に備えるキャスターにより前記加熱調理構造体の周囲に沿って移動自由にしたことを特徴とする可動式キッチンユニットを提供することにある。
【００２１】
本発明は、加熱調理構造体に連結アームを介して格納構造体を連結することによって、調理に使用する道具に併せて、食器類や調味料等を格納する空間を確保することができると同時に、この格納構造体を加熱調理構造体と共に、或は、単独に移動させることでユニット全体の構造を変化させることができ、キッチンルームの模様替えを更に発展的に実行することができる。
【００２２】
また、本発明は、連結アームの内部の加熱調理構造体に引き入れられた電源コードと接続する延長電源コードを配線し、格納構造体に電源を供給することを特徴とした可動式キッチンユニットを提供することにある。
【００２３】
この発明によると、連結アームを通して格納構造体に電源コードを引き入れることができることから、格納構造体自身に電気製品を組み込むことが可能となり、また食器棚等を上面の天板等を通して昇降作動するリフト装置などを装備することができる。
【００２４】
また更に本発明は、床に対面する天井に加熱調理構造体の移動範囲に亘る範囲に集煙用天蓋を配置することを特徴とした可動式キッチンユニットを提供することにある。
【００２５】
この発明によれば、加熱調理構造体が移動する範囲の上方に集煙用天蓋が付設されることから加熱調理構造体がいかなる位置に移動してもキッチンルーム内に煙が拡散することがなく常に室内を正常に保つことが可能になる。
【発明の効果】
【００２６】
上述の如く構成される本発明によると、キッチンユニットを構成する各構造体のうち、シンク構造体を床に固定することによって、この構造体に引き入れる給水管、そしてシンクから排水を放出する排水管を床下に配設する給水及び排水設備に直接接続して給水を受け、また排水することができるため、工事が頗る容易であり、漏水等の心配がなく、しかもこのシンク構造体に対して併設される加熱調理構造体が、シンク構造体の周りを自由に移動して組合せ位置を変更することができるため、キッチンルーム全体の配置を使用勝手に合せて自由に変更することができ、また部屋の模様替えを簡単に行うことができる。
【発明を実施するための最良の形態】
【００２７】
添付する図面は、本発明に係る可動式キッチンユニットの一実施の形態を示したもので、図１は一部断面とした正面図、図２は平面図、図３は図２のＡ−Ａ線断面図である。ここに示す本発明可動式キッチンユニット１は、シンク構造体２と、移動することができる加熱調理構造体３と、同じく移動が可能な格納構造体４の組合せから構成されている。
【００２８】
シンク構造体２は、キッチンルーム５の床６上に台座７を固定して不動のものとして設置され、加熱調理構造体３は下面にキャスター８を備えた移動台座９に支持されて床６上を移動することが可能になっている。また、格納構造体４も同様にキャスター１０を備えた移動台座１１によって床６上を移動することが可能になっている。
そして、シンク構造体２を加熱調理構造体３とは連結アーム１２によって連結され、加熱調理構造体３と格納構造体４とは連結アーム１３によって連結されている。
【００２９】
図４は、上記各構造体２、３、４のそれぞれを支える支持体の構造を拡大して示した中央縦断面図で、以下この図面に従って詳述すると、シンク構造体２は、台座７の中心部から円筒状の固定脚体１４を起立し、この脚体１４の上端にシンク構造体２を固定する基盤１５を一体に固定する。そして、基盤１５と台座７の受板１６との間に脚体１４を取り巻く環状の上下対をなす滑合リング１７、１８を装置して脚体１４の外周に嵌装する回転筒１９の上下両端を滑合支持し、この回転筒１９が自由に回転するようにしている。
【００３０】
上記回転筒１９は、連結アーム１２を支持するもので、周面から水平に連結腕２０を突き出し、この腕を介して連結アーム１２を水平に延し、加熱調理構造体３の支持体に連結するようにしてある。
【００３１】
加熱調理構造体３の支持体は、台座９がキャスター８によって移動自由であることを除いて、前記シンク構造体２の支持体と略同様に構成される。即ち、台座９の内部に備える受板２１の中央部から円筒状の脚体２２を起立し、この脚体２２の上端に基盤２３を固定して加熱調理構造体３を載置固定している。
【００３２】
そして、上記受板２１と基盤２３との間に脚体２２の外周面を取り囲むように上下の滑合リング２４、２５を設けて脚体２２の外周に嵌装する回転筒２６の上下両端を滑合支持し、これを回転自由に支えると共に、この回転筒２６から突出する接続腕２７に前記連続アーム１３を接続して格納構造体４に連続している。
【００３３】
そして、前記基盤２３の下面には連結アーム１２の自由端を接続する接続腕２８を設け、この接続腕２８を介してシンク構造体２と連結するようにしているのである。
【００３４】
尚、前記移動用のキャスター８は、台座９の内部に設けられる受板２１の下面に脚体２２の下端を中心にして６個等間隔をおいて設置しており、更にこの受板２１にはキャスター８による移動を停止するボルト型のストッパー部材２９を３個同様に等間隔をおいて設置している。
【００３５】
格納構造体４の支持体は、回転筒を備えない事を除いて前記加熱調理構造体３の支持体と略同様の構造になっている。つまり、台座１１の内部に一体に備える受板３０の中央部から円筒形の脚体３１を起立してその上端に備える基盤３２に格納構造体４を載置固定するようにしてあり、更に上記基盤３２の下面から接続腕３３を延して前記連結アーム１３の支端部を接続し、これによって加熱調理構造体３と連結しているのである。
【００３６】
そして、上記受板３２の下面には６個のキャスター１０を等間隔に配置すると共に、このキャスター１０を外した位置に等間隔をおいて３個のストッパー部材２９を配置して移動時にはストッパー部材２９を床６から上げて移動が出来るようにしてある。
【００３７】
さて、本発明キッチンユニットを更に説明すると、シンク構造体２は、箱形に形成する本体部２ａの底板３４を前記支持体の基盤１５上に載置して固定し、円形に形成した天板３５の中央部にシンク３６を嵌め込んで組付け、更に、天板３５の一側縁部から起立させる水栓３７を上記シンク３６に臨ませるようにしてある。
【００３８】
そして、シンク３６は底板の中央部に接続する排水管３８を本体部２ａの中心部を縦に貫いて底板３４に穿つ透孔（図示せず）に通し、円筒形をなす脚体１４の内部を通して床６の下に配管する排水本管３９に接続するのである。
これと同時に、前記水栓３７に接続する給水管４０を本体部２ａを通して底板３４の透孔（図示せず）から排水管３８に並行させて脚体１４の内部に通し、床６を貫いて床下の水道管に接続するのである。
【００３９】
シンク構造体２における本体部２ａは、ここでは図２、図５に示したように８面体の箱形に形成して前後の２面４１、４２の各一側縁をヒンジで支持して開放自由にしてあり、内部に洗剤等を収容できるようにしてある。
【００４０】
一方、加熱調理構造体３は、その本体部３ａをシンク構造体２と同様に８面体の箱形に形成して前後の２面４３、４４を前記同様に一側縁をヒンジで支持し、開放できるようにしてある。そして、本体部３ａの底板４５を脚体２２の基盤２３上に載置固定し、上面の天板４６の中央部には加熱調理器たるＩＨヒーター４７を天板上面と面一となるように埋め込み設けてある。
【００４１】
ＩＨヒーター４７の電源となるコード４８は、前記シンク構造体２の脚体１４の内部を通して床下から引き出され、脚体１４の側面に開設する孔（図示せず）から連結アーム１２の中空内部を通して接続腕２８から基板２３、更に底板４５を貫いて本体部３ａの内部に引き入れ、ＩＨヒーター４７に接続される。
【００４２】
格納構造体４は、図示するようにシンク構造体２や加熱調理構造体３より小振りに形成してあり、円筒形に形成した本体部４ａの内部に同じく外形を円形に形成した食器棚等になる棚枠４ｂを上方に向けて抜き差し自由に収め、この棚枠４ｂの上端に円形の天板４９を固定する構造に形成している。
【００４３】
この格納構造体４は、図示しないが本体部４ａ内にリフト装置を組み入れ、動力によって前記棚枠４ｂを昇降自由にして内部を収めた食器類を取り出す場合は上昇させて（図１参照）その出し入れを行い、不使用時には下降させて本体部内に格納する構造としている。
尚、上記リフト装置を駆動するための動力電源は、加熱調理構造体３に引き入れた電源コード４８に併せ引き入れる電源コード５０を連結アーム１３を通して本体部４ａ内部に引き込むことになる。
【００４４】
ところで、上記説明のシンク構造体２、加熱調理構造体３、格納構造体４は、各天板３５、４６、４９の高さを揃えて各構造体が一連に組み合う構造にしてあり、ユニットを構成するようにしてある。勿論、デザインや、使用勝手の都合により高さに差を付けることを制限するものではないが、ここでは使用勝手に合せて高さを揃えている。
【００４５】
上記構成に係る本発明キッチンユニット１はキッチンルーム５の壁際を離れて設置されることになるが、通常の配置としては図２に示したように床６に固定されるシンク構造体２を中心にして加熱調理構造体３、格納構造体４が一列に並んだ状態で配置使用される。
この状態における配置は、壁際に沿って配置される固定型キッチンユニット、或はルーム内中間位置に配置されるカウンター型ないし対面型キッチンユニットと略同一形態となる。
【００４６】
本発明キッチンユニット１は、上記一列形態から前記説明において明らかにしたように、加熱調理構造体３が移動自由に構成されていることから、固定のシンク構造体２を中心にしてその周囲に沿って移動することができ、これによりシンク構造体２との位置関係を変え、使用勝手を変更することができることになる。
【００４７】
図６は、このシンク構造体２に対する加熱調理構造体３の移動状態を示したもので、このとき加熱調理構造体３は円形に形成したシンク構造体２の天板３５の周縁に沿って連結アーム１２に誘導されて旋回移動することになる。
尚、連結アーム１２は、前記した如くシンク構造体２を支持する脚体１４に嵌装する回転筒１９を回転させて旋回することからシンク構造体２と加熱調理構造体３との距離を常に一定に保つことになる。
【００４８】
上記加熱調理構造体３の移動はキャスター８によって自由に行われ、料理人の使用勝手に合せて位置を移動し、適宜の位置においてストッパー２９を床６に押し当てることで固定される。
この加熱調理構造体３の移動に伴って連結アーム１３を介して連結された格納構造体４も追随移動することになるが、同時にこの格納構造体４は連結アーム１３を旋回させることで加熱調理構造体３の周囲を移動し（図６参照）、この加熱調理構造体３との位置関係を変更することができる。
【００４９】
従って、シンク構造体２を中心とした加熱調理構造体３、格納構造体４は一列の姿勢を保ったまま旋回移動し、キッチンルーム５内における位置移動を行って部屋の模様替えをしながら使い勝手の良い配置替えを実行することができる一方、格納構造体４を連結した当該実施の形態においては、加熱調理構造体３の移動方向とは逆の旋回移動によってシンク構造体２側に接近させることもできることから３つの構造体２、３、４をＶ字形に配置して料理人がこのＶ字形の谷の部分、つまり中心に位置して各構造体と等距離に立って調理作業を行うこともできる。
【００５０】
この様に、連結アーム１２、１３で連結された３つの構造体２、３、４はキャスター８、１０を使って加熱調理構造体３、格納構造体４をそれぞれ旋回移動させることで様々な形態に変更し、料理人の使用し易い形に、また部屋の模様替えに対応することができるものとなっている。
【００５１】
そして、本発明に係るキッチンユニット１は、上述したように加熱調理構造体３を移動させることにより、シンク構造体２との位置関係を変えてキッチンユニットの全体形状を変化させ、模様替えが行える中で、シンク構造体２は定位置にあって床６からの給排水管４０、３８、電源コード４８等との接続を全く変えることがなく直接接続することができるため、固定式キッチンユニットと変りない安定した接続方法を採ることができるものとなる。
【００５２】
特に、前述した通り、従来の可動式キッチンユニットにおいては、ユニット全体が移動変化する構造に係ることから、この移動に伴って水回りの給排水管につき、目詰りを起し易いフレキシブル管にしたり、固定式の管と可動式の管との組合せにしてその相互の接続部分を離して可動に対する予裕を確保する特別な構造、例えば、漏斗形の接続手段を採用する等の方法を構ずる必要があったが、本発明キッチンユニットはこれらの手段を用いることなく直付けが可能であるため構造を簡潔にすることができ、信頼性の高い設備を提供することが可能となる。
【００５３】
尚、前記説明では、加熱調理構造体３において加熱調理器としてＩＨヒーター４７としたが、これに換えてガス台とした場合は、電源コード４８に代えてガス管を連結アーム１２に通し、加熱調理構造体３に引き入れることになる。
この様にする場合を含み、連結アーム１２、そして連結アーム１３は電源コード類の引き込み手段となり、これらを外観されないものとするため纏りの良いキッチンユニットとすることができると共に、安全に配置することができるものとなる。
【００５４】
ところで、図中５１はキッチンルーム５の天井５２に装備した集煙用の天蓋である。
この天蓋５１はＩＨヒーター４７で調理することによって発生する煙、湯気を収集するもので、図７に示したようにシンク構造体２を中心にして旋回移動する加熱調理構造体３の移動範囲の全域をカバーできるように天井５２に沿って円弧状に形成される。
【００５５】
従って、上記天蓋５１の設置によって加熱調理構造体３は自由な位置において調理することができ、部屋内に煙を充満させるようなことがない。
【００５６】
尚、前記説明したようにシンク構造体２の天板３５を円形にしたことにより、旋回移動する加熱調理構造体３の天板４６との距離を常に一定に保つことができるが、このとき両天板３５、４６は共に円形であることから両者はその周縁部を点接触的に向い合わせ、やや天板相互の一体性を欠くことになる。
【００５７】
このときの一つの解決策として、例えば加熱調理構造体３の天板４６の天板３５に向き合う側縁部を凹孤状に切欠き形成して天板３５の円形の周縁部をこの凹孤状の切欠き縁部に受け入れるようにすると、天板同士の縁部の嵌め合せ関係が生まれることから周縁部が長い範囲で衝き合うことになり、従って天板３５、４６同士が一枚板の状態となるので一体感を高めることできる。
【００５８】
このことは格納構造体４の天板４９についても同様であり、加熱調理構造体３の天板４６との一体感を高めて、その結果、３枚の天板３５、４６、４９が連続して形状を変化させられる一枚板を構成し、これによって新らたな外観を作ることになる。
【図面の簡単な説明】
【００５９】
【図１】一部断面とした正面図。
【図２】平面図。
【図３】要部を断面とした正面図。
【図４】図２のＡ−Ａ線の位置で断面とした各構造体相互の連結構造を説明する拡大断面図。
【図５】図１のＢ−Ｂ線の位置で断面とした平面図。
【図６】シンク構造体を中心に加熱調理構造体、そして格納構造体のそれぞれの移動を説明する平面図。
【図７】加熱調理構造体と天蓋との位置関係を説明する平面図である。
【符号の説明】
【００６０】
１                        キッチンユニット
２                        シンク構造体
３                        加熱調理構造体
４                        格納構造体
５                        キッチンルーム
６                        床
７                        台座
８、１０                  キャスター
９、１１                  移動台座
１２、１３                連結アーム
１４、２２、３１          脚体
１５、２３、３２          基板
１７、１８、２４、２５    滑合リング
２９                      ストッパー部材
３５、４６、４９          天板
３６                      シンク
３７                      水栓
３８                      排水管
３９                      排水本管
４０                      給水管
４７                      ＩＨヒーター
４ｂ                      棚枠
５１                      天蓋
５２                      天井
【図１】
2010022541.tif 000003
【図２】
2010022541.tif 000004
【図３】
2010022541.tif 000005
【図４】
2010022541.tif 000006
【図５】
2010022541.tif 000007
【図６】
2010022541.tif 000008
【図７】
2010022541.tif 000009